(57)【特許請求の範囲】
【請求項１】
管理対象装置のネットワークインタフェースについての情報を含むインタフェース設定情報、前記管理対象装置を一意に示すコード、および、前記ネットワークインタフェースの検出順序を前記管理対象装置から受信するネットワーク構成登録管理部と、
前記インタフェース設定情報と前記管理対象装置が備えている物理ポートの物理的な位置を示す装置構成情報とに基づいて、前記ネットワークインタフェースの物理ポート位置情報及び前記検出順序を含む関連図を作成し、これを前記コードと対応させる関連図描画部と、
端末装置から受信した前記コードに対応する前記管理対象装置の前記関連図を前記端末装置に送信する関連図送信部と
を有することを特徴とする装置情報管理装置。
【請求項２】
他の装置と接続可能な物理ポートを備えるネットワークインタフェースを各々備えた複数個のバスを有する管理対象装置と、端末装置であるポータブルデバイスと、装置情報管理装置とが相互に接続されて構成される装置情報取得システムであって、
前記装置情報管理装置が、
前記管理対象装置の前記ネットワークインタフェースについての情報を含むインタフェース設定情報、および、前記管理対象装置を一意に示すコードを前記管理対象装置から受信するネットワーク構成登録管理部と、
前記インタフェース設定情報と前記管理対象装置が備えている物理ポートの物理的な位置を示す装置構成情報とに基づいて、前記ネットワークインタフェースの物理ポート位置情報を含む関連図を作成し、これを前記コードと対応させる関連図描画部と、
前記ポータブルデバイスから受信した前記コードに対応する前記管理対象装置の前記関連図を前記ポータブルデバイスに送信する関連図送信部と、を有し、
前記ポータブルデバイスが、
前記コードを前記装置情報管理装置に送信して当該管理対象装置の各物理ポートとネットワークインタフェースとの間の対応情報の送信を依頼する装置情報照会部を備え、
前記管理対象装置が、
前記ネットワークインタフェースについての情報を前記インタフェース設定情報として前記コードと共に前記装置情報管理装置に送信すると同時に前記ネットワークインタフェースの検出順序を前記インタフェース設定情報に含めて前記装置情報管理装置に送信するネットワーク設定部を有する、
ことを特徴とする装置情報取得システム。
【請求項３】
前記管理対象装置が、
前記コードを含む画像情報を予め備えられた表示手段に表示させる画像情報表示部を備え、
前記ポータブルデバイスは、
予め備えられた撮影手段によって撮影された前記画像情報から前記コードを読み取るコード読み取り部を備えることを特徴とする、請求項２に記載の装置情報取得システム。
【請求項４】
他の装置と接続可能な物理ポートを備えるネットワークインタフェースを各々備えた複数個のバスを有する管理対象装置と、端末装置であるポータブルデバイスと、装置情報管理装置とが相互に接続されて構成される装置情報取得システムにあって、
前記装置情報管理装置のネットワーク構成登録管理部が、前記管理対象装置のネットワークインタフェースについての情報を含むインタフェース設定情報、前記管理対象装置を一意に示すコード、および、前記ネットワークインタフェースの検出順序を受信し、
前記装置情報管理装置の関連図描画部が、前記インタフェース設定情報と前記記管理対象装置が備えている物理ポートの物理的な位置を示す装置構成情報とに基づいて、前記ネットワークインタフェースの物理ポート位置情報及び前記検出順序を含む関連図を作成し、これを前記コードと対応させ、
前記ポータブルデバイスの装置情報照会部が、前記コードを前記装置情報管理装置に送信して当該管理対象装置の物理ポートとネットワークインタフェースとの間の対応情報の送信を依頼し、
前記装置情報管理装置の関連図送信部が、前記ポータブルデバイスから前記コードを受信した場合に、このコードに対応する前記管理対象装置の前記関連図を当該ポータブルデバイスに送信する
ことを特徴とする装置情報取得方法。
【請求項５】
他の装置と接続可能な物理ポートを備えるネットワークインタフェースを各々備えた複数個のバスを有する管理対象装置と、端末装置であるポータブルデバイスと、装置情報管理装置とが相互に接続されて構成される装置情報取得システムにあって、
前記装置情報管理装置の備えるプロセッサに、
前記管理対象装置のネットワークインタフェースについての情報を含むインタフェース設定情報、前記管理対象装置を一意に示すコード、および、前記ネットワークインタフェースの検出順序を受信する手順、
前記インタフェース設定情報と前記記管理対象装置が備えている物理ポートの物理的な位置を示す装置構成情報とに基づいて、前記ネットワークインタフェースの物理ポート位置情報及び前記検出順序を含む関連図を作成し、これを前記コードと対応させる手順、
および前記ポータブルデバイスから前記コードを受信した場合に、このコードに対応する前記管理対象装置の前記関連図を当該ポータブルデバイスに送信する手順
を実行させることを特徴とする装置情報取得プログラム。
【請求項６】
複数の管理対象装置が備えている各バスに対応して当該バスの物理的な位置を示す物理ポート位置情報を装置構成情報として予め記憶している記憶手段と、
前記各管理対象装置の前記各バスと当該バスに対応するネットワークインタフェース名についての情報であるインタフェース設定情報、および前記管理対象装置を一意に示す納品物コードを前記各管理対象装置から受信するネットワーク構成登録管理部と、
前記インタフェース設定情報と前記装置構成情報とに基づいて、当該ネットワークインタフェース名ごとの物理ポート位置情報を表す関連図を当該管理対象装置ごとに作成し、これを前記納品物コードと対応させて前記記憶手段に記憶する関連図描画部と、
予め別に設定された端末装置であるポータブルデバイスから前記納品物コードを受信した場合に、この納品物コードに対応する前記管理対象装置の前記関連図を当該ポータブルデバイスに返信する関連図送信部と、
を有し、
前記ネットワーク構成登録管理部が、前記管理対象装置のシステムＢＩＯＳ上で予め設定されたネットワークインタフェース名に対応する各ネットワークインタフェースの検出順序を前記インタフェース設定情報と共に受信する機能を有し、
前記関連図描画部が、前記関連図にさらに前記各ネットワークインタフェースの前記検出順序を含めて作成する機能を有する、
ことを特徴とする装置情報管理装置。
【請求項７】
他の装置と接続可能な物理ポートを備えるネットワークインタフェースを各々備えた複数個のバスを有する複数の管理対象装置と、予め別に設定された可搬式の端末装置であるポータブルデバイスと、装置情報管理装置とが相互に接続されて構成される装置情報取得システムであって、
前記装置情報管理装置が、
前記各管理対象装置が備えている各バスに対応して当該バスの物理的な位置を示す物理ポート位置情報を装置構成情報として予め記憶している記憶手段と、
前記各管理対象装置の前記各バスと当該バスに対応するネットワークインタフェース名についての情報であるインタフェース設定情報、および前記管理対象装置を一意に示す納品物コードを前記各管理対象装置から受信するネットワーク構成登録管理部と、
前記インタフェース設定情報と前記装置構成情報とに基づいて、当該ネットワークインタフェース名ごとの物理ポート位置情報を表す関連図を当該管理対象装置ごとに作成し、これを前記納品物コードと対応させて前記記憶手段に記憶する関連図描画部と、
予め別に設定された端末装置であるポータブルデバイスから前記納品物コードを受信した場合に、この納品物コードに対応する前記管理対象装置の前記関連図を当該ポータブルデバイスに返信する関連図送信部と、を有し、
前記ポータブルデバイスが、
前記管理対象装置を一意に識別可能な納品物コードを前記装置情報管理装置に送信して当該管理対象装置の各物理ポートとネットワークインタフェース名との間の対応情報の送信を依頼する装置情報照会部を備え、
前記管理対象装置が、
予め自らの前記各バスに対応するネットワークインタフェース名についての情報を前記インタフェース設定情報として前記納品物コードと共に前記装置情報管理装置に送信するネットワーク設定部を有し、
前記管理対象装置の前記ネットワーク設定部が、
予め自らの各々のバスについてシステムＢＩＯＳ上で設定されたネットワークインタフェース名に対応する各ネットワークインタフェースの検出順序を前記インタフェース設定情報に含めて同時に前記装置情報管理装置に送信する機能を有する、
ことを特徴とする装置情報取得システム。
【請求項８】
前記管理対象装置が、
前記納品物コードを含む画像情報を予め備えられた表示手段に表示させる画像情報表示部を備え、
前記ポータブルデバイスは、
予め備えられた撮影手段によって撮影された前記画像情報から前記納品物コードを読み取る納品物コード読み取り部を備えることを特徴とする、請求項７に記載の装置情報取得システム。
【請求項９】
他の装置と接続可能な物理ポートを備えるネットワークインタフェースを各々備えた複数個のバスを有する複数の管理対象装置と、予め別に設定された端末装置であるポータブルデバイスと、前記各管理対象装置が備えている各バスに対応して当該バスの物理的な位置を示す物理ポート位置情報を装置構成情報として予め記憶している記憶手段を備える装置情報管理装置とが相互に接続されて構成される装置情報取得システムにあって、
前記装置情報管理装置のネットワーク構成登録管理部が、前記各管理対象装置の前記各バスと当該バスに対応するネットワークインタフェース名についての情報であるインタフェース設定情報、および前記管理対象装置を一意に示す納品物コードを受信するとともに、前記管理対象装置のシステムＢＩＯＳ上で予め設定されたネットワークインタフェース名に対応する各ネットワークインタフェースの検出順序を前記インタフェース設定情報と共に受信し、
前記装置情報管理装置の関連図描画部が、前記インタフェース設定情報と前記装置構成情報とに基づいて、当該ネットワークインタフェース名ごとの物理ポート位置情報を表す関連図を当該管理対象装置ごとに作成するとともに、前記関連図にさらに前記各ネットワークインタフェースの前記検出順序を含めて作成し、これを前記納品物コードと対応させて前記記憶手段に記憶し、
前記ポータブルデバイスの装置情報照会部が、前記納品物コードを前記装置情報管理装置に送信して当該管理対象装置の物理ポートとネットワークインタフェース名との間の対応情報の送信を依頼し、
前記装置情報管理装置の関連図送信部が、前記ポータブルデバイスから前記納品物コードを受信した場合に、この納品物コードに対応する前記管理対象装置の前記関連図を当該ポータブルデバイスに返信する
ことを特徴とする装置情報取得方法。
【請求項１０】
他の装置と接続可能な物理ポートを備えるネットワークインタフェースを各々備えた複数個のバスを有する複数の管理対象装置と、予め別に設定された端末装置であるポータブルデバイスと、前記各管理対象装置が備えている各バスに対応して当該バスの物理的な位置を示す物理ポート位置情報を装置構成情報として予め記憶している記憶手段を備える装置情報管理装置とが相互に接続されて構成される装置情報取得システムにあって、
前記装置情報管理装置の備えるプロセッサに、
前記各管理対象装置の前記各バスと当該バスに対応するネットワークインタフェース名についての情報であるインタフェース設定情報、および前記管理対象装置を一意に示す納品物コードを受信するとともに、前記管理対象装置のシステムＢＩＯＳ上で予め設定されたネットワークインタフェース名に対応する各ネットワークインタフェースの検出順序を前記インタフェース設定情報と共に受信する手順、
前記インタフェース設定情報と前記装置構成情報とに基づいて、当該ネットワークインタフェース名ごとの物理ポート位置情報を表す関連図を当該管理対象装置ごとに作成するとともに、前記関連図にさらに前記各ネットワークインタフェースの前記検出順序を含めて作成し、これを前記納品物コードと対応させて前記記憶手段に記憶する手順、
および前記ポータブルデバイスから前記納品物コードを受信した場合に、この納品物コードに対応する前記管理対象装置の前記関連図を当該ポータブルデバイスに返信する手順
を実行させることを特徴とする装置情報取得プログラム。
【発明の詳細な説明】
【技術分野】
【０００１】
本発明は、装置情報管理装置、装置情報取得システム、装置情報取得方法およびプログラムに関し、特にネットワークインタフェース名と物理ポートとの対応関係を容易に把握可能な装置情報管理装置等に関する。
【背景技術】
【０００２】
コンピュータによるネットワークは最近ますます複雑化して、一つの機器（サーバ、スイッチングハブなど）に多くの枚数のネットワークアダプタが装備されて多くの端子（物理ポート）が備えられ、それらの物理ポートが各々他機器に接続されていることが多くなっている。かつ、各々の機器自体もますます小型化・高密度化が進み、ブレードサーバなどのような形で、サーバルームなどのような特定の一箇所に集約されて集中管理されることが多くなっている。
【０００３】
たとえば、そのうちの特定の物理ポートに係る特定のネットワークアダプタで動作不良が発生した場合、ＯＳやネットワーク管理ソフトは、そのネットワークアダプタを示すネットワークインタフェース名でその動作不良の発生箇所を認識して、ユーザや管理者にその発生箇所を通知する。
【０００４】
これに関連する技術として、以下の各々がある。その中でも特許文献１には、ネットワークに接続された（プリンタなどの）機器に関する情報を収集する情報収集装置などについて記載されている。特許文献２には、デジタルＴＶの画面に表示されたＱＲコード（登録商標）を読み取ることで有料コンテンツの決済が可能であるというコンテンツ提供システムについて記載されている。
【０００５】
特許文献３には、障害の発生したカスタマイズ部品のシステム上の物理位置を構成図に表示するという保守作業支援システムについて記載されている。特許文献４には、部品の３次元的レイアウトをデータベースに記憶して管理できるという設計支援装置について記載されている。
【先行技術文献】
【特許文献】
【０００６】
【特許文献１】特開２００４−２４６８８０号公報
【特許文献２】特開２００８−２４４５５６号公報
【特許文献３】特開２００８−０５９０２８号公報
【特許文献４】特開平１１−３４５２５８号公報
【発明の開示】
【発明が解決しようとする課題】
【０００７】
前述のように、近年は特に、サーバ、スイッチングハブなどの機器自体の小型化・高密度化が進んだことに加えて、ブレードサーバなどのような形で、サーバルームなどのような特定の一箇所に集約されて集中管理されることが多くなっている。
【０００８】
その結果、一つの機器に多数のＬＡＮケーブルやＷＡＮケーブルが接続され、そのような機器がサーバルームに多数台並んでいることが一般的である。管理者やユーザといえども、それらの機器に直接触ることは滅多になく、通常はネットワークを介した他のコンピュータからのリモートアクセスでそれらの機器を操作して使用する。
【０００９】
しかしながら、その機器の中で特定のネットワークアダプタで動作不良が発生した場合、その動作不良の発生箇所は、ＯＳやネットワーク管理ソフトで認識される「ネットワークインタフェース名」で通知され、それが実際にはどの端子（物理ポート）に該当するかが機器の外見だけではわからないという問題がある。
【００１０】
多くの場合、そこで実際に作業をするのは、管理者やユーザから依頼を受けた作業担当者である。しかしながら、その問題があるので、その装置の直接の利用者ではなく、具体的にその動作不良について把握していないその作業担当者にわかりやすく作業内容を伝えることは困難なことである。
【００１１】
しかも、機器の高密度化が進んだ結果、その機器にその不具合について表示できる表示装置を付けることも難しくなり、またその表示装置に表示できる情報も少ない。表示装置を付けたとしても、小さいものしか付けることができないので、そこに全てのネットワークインタフェース名と物理ポートとの対応関係について表示させることは困難である。せいぜい、たとえば英数文字列やバーコードなどのような簡単な情報を表示させることが可能な程度の大きさの表示装置ぐらいしか、付けることができない。
【００１２】
各物理ポートの近傍にＬＥＤ（発光ダイオード）などを利用したランプ（リンク保全ライト）を具備し、これをコマンド入力に応じて点灯／点滅させるという方法もあるが、これにはコマンド入力ができる環境（その機器とは別個の端末装置）が必要であり、またコマンド入力や結果の判断が出来る保守要員が対応にあたる必要がある。さらに、各ポートの個々に異なる情報を表示させることは不可能であり、そもそもそのポートが故障していたらランプを点灯／点滅させること自体が不可能となる。
【００１３】
その結果、動作不良の発生したネットワークインタフェース名を特定するには、各ポートに接続されているケーブルを物理的に脱着することを余儀なくされることとなる。これは煩雑な作業であり、しかもネットワークの運用中にこの作業を行うことは、当該ネットワークに接続された機器全体の動作に影響を及ぼすので、困難である。
【００１４】
ネットワークの構築の段階で、各ネットワークインタフェース名と物理ポートとの対応関係を記録しておくにしても、その段階でケーブルの物理的な脱着が必要となるので、繁雑な作業であることには変わりはなく、またヒューマンエラーによって間違った情報が記録される恐れもある。さらに、その対応関係に関する情報は、時間の経過や故障対応が重なって変更されることもありうるものであり、従ってその情報が古くなるに従って信頼性が低下することとなる。
【００１５】
この問題を解決しうる技術は、前述の特許文献１〜４には記載されていない。特定の部品の装置上での物理位置を表示するという技術は特許文献３に記載されているが、これはその部品名がわからないとその位置を表示することができない。これを残る特許文献１，２，４と組み合わせても、「ネットワークインタフェース名と物理ポートとの対応関係がわからない」という問題を解決しうるものとはならない。
【００１６】
本発明の目的は、ネットワークインタフェース名と物理ポートとの対応関係を把握して、これを作業担当者にわかりやすく表示することを可能とする装置情報管理装置、装置情報取得システム、装置情報取得方法およびプログラムを提供することにある。
【課題を解決するための手段】
【００１７】
上記目的を達成するため、本発明に係る装置情報取得装置は、管理対象装置のネットワークインタフェースについての情報を含むインタフェース設定情報、前記管理対象装置を一意に示すコード、および、前記ネットワークインタフェースの検出順序を前記管理対象装置から受信するネットワーク構成登録管理部と、前記インタフェース設定情報と前記管理対象装置が備えている物理ポートの物理的な位置を示す装置構成情報とに基づいて、前記ネットワークインタフェースの物理ポート位置情報及び前記検出順序を含む関連図を作成し、これを前記コードと対応させる関連図描画部と、端末装置から受信した前記コードに対応する前記管理対象装置の前記関連図を前記端末装置に送信する関連図送信部とを有することを特徴とする。
【００１８】
上記目的を達成するため、本発明に係る装置情報管理システムは、他の装置と接続可能な物理ポートを備えるネットワークインタフェースを各々備えた複数個のバスを有する管理対象装置と、端末装置であるポータブルデバイスと、装置情報管理装置とが相互に接続されて構成される装置情報取得システムであって、前記装置情報管理装置が、前記管理対象装置の前記ネットワークインタフェースについての情報を含むインタフェース設定情報、および、前記管理対象装置を一意に示すコードを前記管理対象装置から受信するネットワーク構成登録管理部と、前記インタフェース設定情報と前記管理対象装置が備えている物理ポートの物理的な位置を示す装置構成情報とに基づいて、前記ネットワークインタフェースの物理ポート位置情報を含む関連図を作成し、これを前記コードと対応させる関連図描画部と、前記ポータブルデバイスから受信した前記コードに対応する前記管理対象装置の前記関連図を前記ポータブルデバイスに送信する関連図送信部と、を有し、前記ポータブルデバイスが、前記コードを前記装置情報管理装置に送信して当該管理対象装置の各物理ポートとネットワークインタフェースとの間の対応情報の送信を依頼する装置情報照会部を備え、前記管理対象装置が、前記ネットワークインタフェースについての情報を前記インタフェース設定情報として前記コードと共に前記装置情報管理装置に送信すると同時に前記ネットワークインタフェースの検出順序を前記インタフェース設定情報に含めて前記装置情報管理装置に送信するネットワーク設定部を有することを特徴とする。
【００１９】
上記目的を達成するため、本発明に係る装置情報取得方法は、他の装置と接続可能な物理ポートを備えるネットワークインタフェースを各々備えた複数個のバスを有する管理対象装置と、端末装置であるポータブルデバイスと、装置情報管理装置とが相互に接続されて構成される装置情報取得システムにあって、前記装置情報管理装置のネットワーク構成登録管理部が、前記管理対象装置のネットワークインタフェースについての情報を含むインタフェース設定情報、前記管理対象装置を一意に示すコード、および、前記ネットワークインタフェースの検出順序を受信し、前記装置情報管理装置の関連図描画部が、前記インタフェース設定情報と前記記管理対象装置が備えている物理ポートの物理的な位置を示す装置構成情報とに基づいて、前記ネットワークインタフェースの物理ポート位置情報及び前記検出順序を含む関連図を作成し、これを前記コードと対応させ、前記ポータブルデバイスの装置情報照会部が、前記コードを前記装置情報管理装置に送信して当該管理対象装置の物理ポートとネットワークインタフェースとの間の対応情報の送信を依頼し、前記装置情報管理装置の関連図送信部が、前記ポータブルデバイスから前記コードを受信した場合に、このコードに対応する前記管理対象装置の前記関連図を当該ポータブルデバイスに送信することを特徴とする。
【００２０】
上記目的を達成するため、本発明に係る装置情報取得プログラムは、他の装置と接続可能な物理ポートを備えるネットワークインタフェースを各々備えた複数個のバスを有する管理対象装置と、端末装置であるポータブルデバイスと、装置情報管理装置とが相互に接続されて構成される装置情報取得システムにあって、前記装置情報管理装置の備えるプロセッサに、前記管理対象装置のネットワークインタフェースについての情報を含むインタフェース設定情報、前記管理対象装置を一意に示すコード、および、前記ネットワークインタフェースの検出順序を受信する手順、前記インタフェース設定情報と前記記管理対象装置が備えている物理ポートの物理的な位置を示す装置構成情報とに基づいて、前記ネットワークインタフェースの物理ポート位置情報及び前記検出順序を含む関連図を作成し、これを前記コードと対応させる手順、および前記ポータブルデバイスから前記コードを受信した場合に、このコードに対応する前記管理対象装置の前記関連図を当該ポータブルデバイスに送信する手順を実行させることを特徴とする。
【発明の効果】
【００２１】
本発明は、上記したように、管理対象装置から各々のバスに対応するネットワークインタフェース名についての情報を受信し、これと予め備えられた当該バスの物理的な位置を示す装置構成情報とから製品図を作成するように構成したので、ポータブルデバイスからの送信依頼に対してすぐにその製品図を送信して表示させることが可能となる。これによって、ネットワークインタフェース名と物理ポートとの対応関係を把握して、これを作業担当者にわかりやすく表示することを可能であるという、優れた特徴を持つ装置情報管理装置、装置情報取得システム、装置情報取得方法およびプログラムを提供することができる。
【図面の簡単な説明】
【００２２】
【図１】本発明の第１の実施形態に係る装置情報取得システムの構成について示す説明図である。
【図２】図１に示した装置情報取得システムの、各装置の動作の流れについて示すフローチャートである。
【図３】図１に示した装置情報取得システムで、設定情報送信部が送信するインタフェース設定情報の一例について示す説明図である。
【図４】図１に示した装置情報取得システムで、装置情報管理装置に予め記憶されている装置構成情報の一例について示す説明図である。
【図５】図１に示した装置情報取得システムで、関連図描画部が作成する関連図の一例について示す説明図である。
【図６】本発明の第２の実施形態に係る装置情報取得システムの構成について示す説明図である。
【図７】図６に示した装置情報取得システムの、各装置の動作の流れについて示すフローチャートである。
【図８】図６に示した装置情報取得システムで、設定情報送信部が送信するインタフェース設定情報の一例について示す説明図である。
【図９】図６に示した装置情報取得システムで、関連図描画部が作成する関連図の一例について示す説明図である。
【図１０】本発明の第３の実施形態に係る装置情報取得システムの構成について示す説明図である。
【図１１】図１０に示した装置情報取得システムの、各装置の動作の流れについて示すフローチャートである。
【図１２】図１０に示した装置情報取得システムで、ネットワーク構成登録管理部が保存する装置構成情報の一例について示す説明図である。
【図１３】図１０に示した装置情報取得システムで、関連図描画部が作成する関連図の一例について示す説明図である。
【図１４】本発明の第４の実施形態に係る装置情報取得システムの構成について示す説明図である。
【図１５】図１４に示した装置情報取得システムの、各装置の動作の流れについて示すフローチャートである。
【図１６】図１４に示した装置情報取得システムで、構成情報作成部が保存する装置構成情報の一例について示す説明図である。
【図１７】図１４に示した装置情報取得システムで、装置情報表示部が表示させる表示画面の一例について示す説明図である。
【発明を実施するための形態】
【００２３】
（第１の実施形態）
以下、本発明の第１の実施形態の構成について添付図１に基づいて説明する。
最初に、本実施形態の基本的な内容について説明し、その後でより具体的な内容について説明する。
本実施形態に係る装置情報管理装置２０は、複数の管理対象装置が備えている各バスに対応して当該バスの物理的な位置を示す物理ポート位置情報を装置構成情報２１１として予め記憶している記憶手段２２と、各管理対象装置の各バスと当該バスに対応するネットワークインタフェース名についての情報であるインタフェース設定情報１１１、および管理対象装置を一意に示す納品物コードを各管理対象装置１０から受信するネットワーク構成登録管理部２０１と、インタフェース設定情報と装置構成情報とに基づいて、当該ネットワークインタフェース名ごとの物理ポート位置情報を表す関連図２１２を当該管理対象装置ごとに作成し、これを納品物コードと対応させて記憶手段に記憶する関連図描画部２０２と、予め別に設定された端末装置であるポータブルデバイス３０から納品物コードを受信した場合に、この納品物コードに対応する管理対象装置の関連図を当該ポータブルデバイスに返信する関連図送信部２０３とを有する。
【００２４】
また、この本実施形態に係る装置情報取得システム１は、他の装置と接続可能な物理ポートを備えるネットワークインタフェースを各々備えた複数個のバスを有する複数の管理対象装置１０と、予め別に設定された可搬式の端末装置であるポータブルデバイス３０と、装置情報管理装置とが相互に接続されて構成される装置情報取得システムである。装置情報管理装置は、上記の装置情報管理装置２０である。そしてポータブルデバイス３０は、管理対象装置を一意に識別可能な納品物コードを装置情報管理装置に送信して当該管理対象装置の各物理ポートとネットワークインタフェース名との間の対応情報の送信を依頼する装置情報照会部３０２を備える。
【００２５】
また、管理対象装置１０は、予め自らの各バスに対応するネットワークインタフェース名についての情報をインタフェース設定情報１１１として納品物コードと共に装置情報管理装置に送信するネットワーク設定部１０１を有する。
【００２６】
そして、管理対象装置１０は、納品物コードを含む画像情報（ＱＲコード）を予め備えられた表示手段１３に表示させる画像情報表示部（ＱＲコード表示部１０３）を備え、ポータブルデバイス３０は、予め備えられた撮影手段３５によって撮影された画像情報から納品物コードを読み取る納品物コード読み取り部３０１を備える。
【００２７】
以上の構成を備えることにより、装置情報取得システム１は、ネットワークインタフェース名と物理ポートとの対応関係を把握して、これを作業担当者にわかりやすく表示することが可能となる。
以下、これをより詳細に説明する。
【００２８】
図１は、本発明の第１の実施形態に係る装置情報取得システム１の構成について示す説明図である。装置情報取得システム１は、このシステムによる管理対象となる管理対象装置１０と、装置情報管理装置２０と、携帯電話やスマートフォンなどのポータブルデバイス３０とが、ネットワーク４０を介して相互に接続されて構成される。このネットワーク４０は、ＬＡＮ（Local Area Network）であってもＷＡＮ（Wide Area Network）であってもよく、また有線接続であっても無線接続であってもよい。
【００２９】
管理対象装置１０は、他の装置と接続可能な複数の物理ポートを備える装置であり、より具体的には多くのクライアントコンピュータからの要求に基づく各種処理を行うコンピュータ装置（サーバなど）、もしくはネットワーク装置（スイッチングハブなど）である。管理対象装置１０は、コンピュータプログラムの実施主体であるプロセッサ１１と、データを記憶する記憶手段１２と、処理結果を表示する表示手段１３と、単数もしくは複数の接続口（ポート）を備える通信手段であるネットワークアダプタ１４ａ，１４ｂ，…とを備える。
【００３０】
以後、ネットワークアダプタ１４ａ，１４ｂ，…を総称してネットワークアダプタ１４という。ネットワークアダプタ１４は各々、管理対象装置１０がハードウェアとして備えるバスに接続されている。また、ネットワークアダプタ１４のうちの少なくとも一つはネットワーク４０に接続され、他は各装置に接続される。
【００３１】
プロセッサ１１は、装置情報表示プログラムが動作することにより、後述のネットワーク設定部１０１、設定情報送信部１０２、およびＱＲコード表示部１０３として機能する。また、記憶手段１２には、インタフェース設定情報１１１が記憶される。
【００３２】
装置情報管理装置２０は、本実施形態のために構成されるコンピュータ装置であり、コンピュータプログラムの実施主体であるプロセッサ２１と、データを記憶する記憶手段２２と、ネットワーク４０と接続して他のコンピュータとの間でデータ通信を行う通信手段２３とを備える。
【００３３】
プロセッサ２１は、装置情報検索プログラムが動作することにより、後述のネットワーク構成登録管理部２０１、関連図描画部２０２、および関連図送信部２０３として機能する。また、記憶手段２２には、装置構成情報２１１が記憶され、さらに動作によって生成された関連図２１２が記憶される。
【００３４】
ポータブルデバイス３０は、コンピュータプログラムの実施主体であるプロセッサ３１と、データを記憶する記憶手段３２と、ネットワーク４０を介して他装置との間の通信を行う通信手段３３と、ユーザからの動作指令入力を受け付け、また処理結果をユーザに提示する入出力手段３４と、デジタル画像を撮影する撮影手段３５とを備える。
【００３５】
プロセッサ３１は、装置情報取得プログラムが動作することにより、後述の納品物コード読み取り部３０１、装置情報照会部３０２、関連図表示部３０３として機能する。
【００３６】
図２は、図１に示した装置情報取得システム１の、各装置の動作の流れについて示すフローチャートである。まず管理対象装置１０を初期設定する際、ネットワーク設定部１０１がネットワークアダプタ１４のバス情報とネットワークインタフェース名の関連についての設定を行って、この設定内容をインタフェース設定情報１１１として記憶した後、管理対象装置１０を再起動する（図２・ステップＳ１０１）。
【００３７】
この再起動を契機として、設定情報送信部１０２が、インタフェース設定情報１１１として設定されたバス情報とネットワークインタフェース名の関連について、装置情報管理装置２０に送信する（図２・ステップＳ１０２）。その際に、管理対象装置１０の製品名（品番）と、各々の管理対象装置１０を一意に識別する納品物コードも、同時に送信する。
【００３８】
図３は、図１に示した装置情報取得システム１で、設定情報送信部１０２が送信するインタフェース設定情報１１１の一例について示す説明図である。インタフェース設定情報１１１は、各バスの番号を示すバス情報１１１ａと、当該バスのネットワークインタフェース名１１１ｂとが対応づけるものである。設定情報送信部１０２は、これと同時に、製品名１１１ｃおよび納品物コード１１１ｄも同時に送信する。
【００３９】
これを受けた装置情報管理装置２０では、ネットワーク構成登録管理部２０１がこのバス情報とネットワークインタフェース名の関連について受信し（図２・ステップＳ１０３）、関連図描画部２０２が装置構成情報２１１として予め記憶されている管理対象装置１０の各製品に固有の物理ポート位置をもつ製品構成情報と、受信された情報とを照合して、物理ポート位置とネットワークインタフェース名の関連付けを示す関連図２１２を作成して、これを納品物コードに対応させて記憶手段２２に記憶する（図２・ステップＳ１０４）。
【００４０】
図４は、図１に示した装置情報取得システム１で、装置情報管理装置２０に予め記憶されている装置構成情報２１１の一例について示す説明図である。装置構成情報２１１は、前述のバス情報１１１ａに対応するバス情報２１１ａと、各バスの物理的な位置を示す物理ポート位置情報２１１ｂとが、前述の製品名１１１ｃに対応する製品名２１１ｃごとに記憶されている。また、製品名２１１ｃごとの実際の端子部分の外見を示す製品図２１１ｄも、同時に記憶されている。
【００４１】
図５は、図１に示した装置情報取得システム１で、関連図描画部２０２が作成する関連図２１２の一例について示す説明図である。関連図２１２は、製品名２１１ｃに対応する製品図２１１ｄ上に、物理ポート位置情報２１１ｂとネットワークインタフェース名１１１ｂとを対応づけて表示する。
【００４２】
管理対象装置１０では、ＱＲコード表示部１０３が、納品物コードを含むＱＲコード（二次元バーコード）を表示手段１３に表示する（図２・ステップＳ１０５）。作業担当者が、ポータブルデバイス３０の撮影手段３５を利用して、このＱＲコードを撮影すると、納品物コード読み取り部３０１がこのＱＲコードに含まれる納品物コードを読み取り、装置情報照会部３０２がこの納品物コードを装置情報管理装置２０に送信して、関連図の送信を依頼する（図２・ステップＳ１０６）。
【００４３】
これを受けた装置情報管理装置２０では、関連図送信部２０３が、受信した納品物コードに対応する関連図２１２を検索して、これをポータブルデバイス３０に返す（図２・ステップＳ１０７）。ポータブルデバイス３０では、関連図表示部３０３がこの関連図２１２を受信して、入出力手段３４に表示させる（図２・ステップＳ１０８）。
【００４４】
その結果、図５にある通りの関連図２１２が、ポータブルデバイス３０の入出力手段３４に表示される。この図を見れば、各々の物理ポートとネットワークインタフェース名が一目瞭然でわかるので、作業担当者はエラーを起こしたネットワークインタフェース名に対応する物理ポートを容易に特定して、当該物理ポートに対して部品交換などの措置を行うことが容易に可能となる。
【００４５】
（第１の実施形態の全体的な動作）
次に、上記の実施形態の全体的な動作について説明する。
本実施形態に係る装置情報取得方法は、他の装置と接続可能な複数の物理ポートを備える管理対象装置１０と、可搬式の端末装置であるポータブルデバイス３０と、管理対象装置の各バスに対応して当該バスの物理的な位置を示す物理ポート位置情報を装置構成情報２１１として予め記憶している記憶手段２２を備える装置情報管理装置２０とが相互に接続されて構成される装置情報取得システムにあって、装置情報管理装置のネットワーク構成登録管理部が、管理対象装置から当該管理対象装置の各バスとネットワークインタフェース名との間の対応および管理対象装置を一意に示す納品物コードを受信し（図２・ステップＳ１０３）、装置情報管理装置の関連図描画部が、管理対象装置の各々のバスに対応するネットワークインタフェース名についての情報を取得して、これと装置構成情報とに基づいて、当該ネットワークインタフェース名ごとの物理ポート位置情報を表す関連図を当該管理対象装置ごとに作成し、これを納品物コードと対応させて記憶手段に記憶し（図２・ステップＳ１０４）、ポータブルデバイスの装置情報照会部が、納品物コードを装置情報管理装置に送信して当該管理対象装置の物理ポートとネットワークインタフェース名との間の対応情報の送信を依頼し（図２・ステップＳ１０６）、装置情報管理装置の関連図送信部が、ポータブルデバイスから納品物コードを受信した場合に、この納品物コードに対応する管理対象装置の関連図を当該ポータブルデバイスに返信する（図２・ステップＳ１０７）。
【００４６】
ここで、上記各動作ステップについては、これをコンピュータで実行可能にプログラム化し、これらを前記各ステップを直接実行する装置情報管理装置２０のプロセッサ２１に実行させるようにしてもよい。本プログラムは、非一時的な記録媒体、例えば、ＤＶＤ、ＣＤ、フラッシュメモリ等に記録されてもよい。その場合、本プログラムは、記録媒体からコンピュータによって読み出され、実行される。
この動作により、本実施形態は以下のような効果を奏する。
【００４７】
本実施形態によれば、その装置の直接の利用者でない作業担当者であっても、エラーを起こしたネットワークインタフェース名に対応する物理ポートを一目瞭然に特定することができるので、その物理ポートに対して適切な措置（たとえばネットワークアダプタの交換など）を容易に行うことができ、その作業による当該ネットワークに接続された機器全体に対する影響も、最小限に抑えることができる。即ち、当該システムに対する可用性および保守性を、大きく向上させることが可能となる。
【００４８】
（第１の実施形態の拡張）
上記した第１の実施形態では、ＱＲコード表示部１０３が表示手段１３に表示させたＱＲコードを納品物コード読み取り部３０１が読み取る構成としたが、この実施形態はＱＲコードの動的表示に限定されるものではない。要は、納品物コードを読み取って、これを装置情報管理装置２０に伝達できさえすればよいのであって、その具体的な手法としては任意のものを利用することができる。
【００４９】
たとえば、ＱＲコードではなく一次元バーコードなどでもよい。また、このＱＲコードをシールなどに印刷して機器に貼り付け、ポータブルデバイス３０から撮影可能なものとしてもよい。あるいは機器のシリアル番号を英数文字で印刷して、これをポータブルデバイス３０に文字入力する構成としてもよい。また、ＱＲコードを納品物コードを含む電波信号を発信するＲＦ近接タグに置換して、ポータブルデバイス３０がこれを受信して納品物コードを読み取る構成としてもよい。これらのような実施形態の拡張は、後述する第２〜第４の実施形態に対しても、同様に適用できる。
【００５０】
（第２の実施形態）
本発明の第２の実施形態は、前述した第１の実施形態の構成に加えて、管理対象装置４１０のネットワーク設定部５０１が、予め自らの各々のバスについてシステムＢＩＯＳ上で設定されたネットワークインタフェース名に対応する各ネットワークインタフェースの検出順序をインタフェース設定情報に含めて同時に送信する機能を有するものとした。
【００５１】
そして装置情報管理装置４２０では、ネットワーク構成登録管理部６０１が、管理対象装置のシステムＢＩＯＳ上で予め設定されたネットワークインタフェース名に対応する各ネットワークインタフェースの検出順序をインタフェース設定情報と共に受信する機能を有し、関連図描画部６０２が、関連図にさらに各ネットワークインタフェースの検出順序を含めて作成する機能を有するものとした。
【００５２】
この構成によっても前述した第１の実施形態と同一の効果が得られることに加えて、管理対象装置４１０のハードウェアで設定された検出順序に従ってネットワークインタフェース名を関連図６１２に表示することが可能となる。
以下、これをより詳しく説明する。
【００５３】
図６は、本発明の第２の実施形態に係る装置情報取得システム４０１の構成について示す説明図である。装置情報取得システム４０１は、このシステムによる管理対象となる管理対象装置４１０と、装置情報管理装置４２０と、携帯電話やスマートフォンなどのポータブルデバイス３０とが、ネットワーク４０を介して相互に接続されて構成される。管理対象装置４１０および装置情報管理装置４２０が第２の実施形態に独特のものであり、ポータブルデバイス３０およびネットワーク４０は第１の実施形態と共通である。
【００５４】
管理対象装置４１０は、第１の実施形態の管理対象装置１０と、ハードウェアとしての構成は同一であり、またソフトウェアとしてもネットワーク設定部１０１が別のネットワーク設定部５０１に置換され、またこれによって別のインタフェース設定情報５１１が記憶されるのみで、他は同一である。
【００５５】
装置情報管理装置４２０も、第１の実施形態の装置情報管理装置２０と、ハードウェアとしての構成は同一であり、またソフトウェアとしても関連図描画部２０２が別の関連図描画部６０２に置換され、またこれによって別の関連図６１２が生成されるのみで、他は同一である。
【００５６】
図７は、図６に示した装置情報取得システム４０１の、各装置の動作の流れについて示すフローチャートである。このフローチャートも、図２で示した第１の実施形態の動作と同一の部分を多く含むので、同一の動作については同一のステップ番号を付し、説明を省略する。
【００５７】
まず管理対象装置４１０を初期設定する際、ネットワーク設定部５０１がネットワークアダプタ１４のバス情報とネットワークインタフェース名と、各ネットワークアダプタの検出順序との関連についての設定をシステムＢＩＯＳ上で行って、この設定内容をインタフェース設定情報５１１として記憶した後、ネットワークを再起動する（図７・ステップＳ２０１）。その後の管理対象装置４１０での動作は、図２で示した第１の実施形態のステップＳ１０２と同一である。
【００５８】
図８は、図６に示した装置情報取得システム４０１で、設定情報送信部１０２が送信するインタフェース設定情報５１１の一例について示す説明図である。インタフェース設定情報５１１は、各バスの番号を示すバス情報１１１ａと、当該バスのネットワークインタフェース名１１１ｂに、さらに検出順序５１１ａが対応づけられたものである。これと同時に、製品名１１１ｃと、納品物コード１１１ｄも同時に送信する。
【００５９】
ネットワーク構成登録管理部２０１がステップＳ１０３と同一の動作でインタフェース設定情報５１１を受信した装置情報管理装置４２０では、関連図描画部６０２が、装置構成情報２１１として予め記憶されている管理対象装置１０の各製品に固有の物理ポート位置をもつ製品構成情報と、受信された情報とを照合して、物理ポート位置とネットワークインタフェース名と、各ネットワークアダプタの検出順序との関連付けを示す関連図６１２を作成して、これを納品物コードに対応させて記憶手段２２に記憶する（図７・ステップＳ２０４）。
【００６０】
図９は、図６に示した装置情報取得システム４０１で、関連図描画部６０２が作成する関連図６１２の一例について示す説明図である。それ以後の動作は、図２で示した第１の実施形態のステップＳ１０５以降と同一である。
【００６１】
（第３の実施形態）
本発明の第３の実施形態は、前述した第３の実施形態の構成から、ネットワーク設定部１０１および設定情報送信部１０２を省略し、装置情報管理装置７２０の関連図描画部８０２が、システムＢＩＯＳ上で設定されたネットワークインタフェース名に対応する各ネットワークインタフェースの標準の検出順序を関連図６１２に含めて作成するものとした。
【００６２】
この構成によれば、前述した第２の実施形態と同一の効果をより単純な構成と動作で得ることが可能となる。
以下、これをより詳しく説明する。
【００６３】
図１０は、本発明の第３の実施形態に係る装置情報取得システム７０１の構成について示す説明図である。装置情報取得システム７０１は、このシステムによる管理対象となる管理対象装置７１０と、装置情報管理装置７２０と、携帯電話やスマートフォンなどのポータブルデバイス３０とが、ネットワーク４０を介して相互に接続されて構成される。管理対象装置７１０および装置情報管理装置７２０が第２の実施形態に独特のものであり、ポータブルデバイス３０およびネットワーク４０は第１の実施形態と共通である。
【００６４】
管理対象装置７１０は、第１の実施形態の管理対象装置１０と、ハードウェアとしての構成は同一であるが、ソフトウェアとしての構成はネットワーク設定部１０１および設定情報送信部１０２が省略され、ＱＲコード表示部１０３のみになっている。また、記憶手段１２には、インタフェース設定情報１１１も記憶されない。
【００６５】
装置情報管理装置７２０は、第１の実施形態の装置情報管理装置２０と、ハードウェアとしての構成は同一であり、またソフトウェアとしてもネットワーク構成登録管理部２０１および関連図描画部２０２が各々別のネットワーク構成登録管理部８０１および関連図描画部８０２に置換され、装置構成情報２１１が別の装置構成情報８１１に置換され、またこれによって別の関連図８１２が生成されるのみで、他は同一である。
【００６６】
図１１は、図１０に示した装置情報取得システム７０１の、各装置の動作の流れについて示すフローチャートである。このフローチャートも、図２で示した第１の実施形態の動作と同一の部分を多く含むので、同一の動作については同一のステップ番号を付し、説明を省略する。
【００６７】
管理対象装置１０では、図２で示した第１の実施形態のステップＳ１０１および１０２が省略されている。即ち、管理対象装置７１０は、インタフェース設定情報を装置情報管理装置７２０に送信しない。
【００６８】
装置情報管理装置７２０では、管理対象装置７１０の製品名７１１ｃと、納品物コード７１１ｄとを、システム構築の段階で予め把握している。ネットワーク構成登録管理部８０１は、この製品名７１１ｃの標準（デフォルト）状態でのバス情報とネットワークインタフェース名と、各ネットワークアダプタの検出順序との関連を、装置構成情報８１１として保存する（図１１・ステップＳ３０３）。
【００６９】
図１２は、図１０に示した装置情報取得システム７０１で、ネットワーク構成登録管理部８０１が保存する装置構成情報８１１の一例について示す説明図である。関連図描画部８０２は、この装置構成情報８１１に基づいて、図９に示した第２の実施形態と同様の関連図８１２を作成する（図１１・ステップＳ３０４）。図１３は、図１０に示した装置情報取得システム７０１で、関連図描画部８０２が作成する関連図８１２の一例について示す説明図である。それ以後の動作は、図２で示した第１の実施形態のステップＳ１０５以降と同一である。
【００７０】
この第３の実施形態では、バス情報とネットワークインタフェース名と、各ネットワークアダプタの検出順序の対応について、標準（デフォルト）状態での対応関係である場合にのみ適用可能であり、各機器で独自にカスタマイズされた関係には対応できない。しかしながら、通常はそのような独自のカスタマイズが行われることは少ないので、この実施形態で問題が生じることは少ない。
【００７１】
（第４の実施形態）
本発明の第４の実施形態は、装置情報管理装置９２０が、関連図描画部に代えて、管理対象装置の各々のバスに対応するネットワークインタフェース名についての情報を取得して当該ネットワークインタフェース名ごとの物理ポート位置情報を構成情報として当該管理対象装置ごとに保存する構成情報作成部１００２を設けると共に、関連図送信部に代えて、ポータブルデバイス９３０から納品物コードを受信した場合に、この納品物コードに対応する構成情報を当該ポータブルデバイスに返信する構成情報送信部１００３とを設けた構成とした。
【００７２】
この構成によっても前述した第１の実施形態と同一の効果が得られることに加えて、ポータブルデバイスが受信した構成情報を、管理対象装置の画像に合わせてＡＲ（Augmented Reality、拡張現実）的に表示することが可能となるので、より実際の端子（物理ポート）の位置を把握しやすくなるという効果を得ることも可能になる。
以下、これをより詳しく説明する。
【００７３】
図１４は、本発明の第４の実施形態に係る装置情報取得システム９０１の構成について示す説明図である。装置情報取得システム７０１は、このシステムによる管理対象となる管理対象装置１０と、装置情報管理装置９２０と、携帯電話やスマートフォンなどのポータブルデバイス９３０とが、ネットワーク４０を介して相互に接続されて構成される。装置情報管理装置９２０およびポータブルデバイス９３０が第４の実施形態に独特のものであり、管理対象装置１０およびネットワーク４０は第１の実施形態と共通である。
【００７４】
装置情報管理装置９２０は、第１の実施形態の装置情報管理装置２０と、ハードウェアとしての構成は同一であるが、ソフトウェアとしては、ネットワーク構成登録管理部２０１、関連図描画部２０２、および関連図送信部２０３の各々が、別のネットワーク構成登録管理部１００１、構成情報作成部１００２、および構成情報送信部１００３に置換されている。また装置構成情報２１１が別の装置構成情報１０１１に置換され、関連図２１２が省略されているのみで、他は同一である。
【００７５】
ポータブルデバイス９３０は、第１の実施形態のポータブルデバイス３０と、ハードウェアとしての構成は同一であるが、ソフトウェアとしては関連図表示部３０３が装置情報表示部１１０３に置換されている。他は同一である。
【００７６】
図１５は、図１４に示した装置情報取得システム９０１の、各装置の動作の流れについて示すフローチャートである。このフローチャートも、図２で示した第１の実施形態の動作と同一の部分を多く含むので、同一の動作については同一のステップ番号を付し、説明を省略する。とりわけ、この第４の実施形態では、ステップＳ１０３までは第１の実施形態の動作と同一である。
【００７７】
ステップＳ１０３の動作で、バス情報とネットワークインタフェース名の関連についてネットワーク構成登録管理部１００１が受信すると、構成情報作成部１００２が受信した情報を装置構成情報１０１１の中に関連づけて保存する（図１５・ステップＳ４０４）。図１６は、図１４に示した装置情報取得システム９０１で、構成情報作成部１００２が保存する装置構成情報１０１１の一例について示す説明図である。
【００７８】
図２のステップＳ１０５〜１０６と同一の動作で、納品物コードによる関連図の送信依頼を受けた構成情報送信部１００３は、関連図ではなく、構成情報１０１１をポータブルデバイス９３０に返す（図１５・ステップＳ４０７）。
【００７９】
ポータブルデバイス９３０では、装置情報表示部１１０３が、受信した構成情報１０１１を、撮影手段３５によって撮影された管理対象装置１０の画像に重ね合わせて、いわゆるＡＲ的に、各バスに対応するネットワークインタフェース名を表示させる（図１５・ステップＳ４０８）。
【００８０】
その際、装置情報表示部１１０３は、表示手段１３に表示されたＱＲコード自体を、位置情報マーカとして使用することができるし、他のものを位置情報マーカとしてもよい。図１７は、図１４に示した装置情報取得システム９０１で、装置情報表示部１１０３が表示させる表示画面１２００の一例について示す説明図である。この表示画面１２００は、結果的には図５に示した関連図２１２と同様の画面となるが、実際の管理対象装置１０の画像に合わせてＡＲ的に表示されるので、たとえばその端子（物理ポート）にポータブルデバイス９３０を接近させて、より細かい位置を表示させることも可能であり、より実際の位置を把握しやすくなる。
【００８１】
これまで本発明について図面に示した特定の実施形態をもって説明してきたが、本発明は図面に示した実施形態に限定されるものではなく、本発明の効果を奏する限り、これまで知られたいかなる構成であっても採用することができる。
【００８２】
上述した実施形態について、その新規な技術内容の要点をまとめると、以下のようになる。なお、上記実施形態の一部または全部は、新規な技術として以下のようにまとめられるが、本発明は必ずしもこれに限定されるものではない。
【００８３】
（付記１）  複数の管理対象装置が備えている各バスに対応して当該バスの物理的な位置を示す物理ポート位置情報を装置構成情報として予め記憶している記憶手段と、
前記各管理対象装置の前記各バスと当該バスに対応するネットワークインタフェース名についての情報であるインタフェース設定情報、および前記管理対象装置を一意に示す納品物コードを前記各管理対象装置から受信するネットワーク構成登録管理部と、
前記インタフェース設定情報と前記装置構成情報とに基づいて、当該ネットワークインタフェース名ごとの物理ポート位置情報を表す関連図を当該管理対象装置ごとに作成し、これを前記納品物コードと対応させて前記記憶手段に記憶する関連図描画部と、
予め別に設定された端末装置であるポータブルデバイスから前記納品物コードを受信した場合に、この納品物コードに対応する前記管理対象装置の前記関連図を当該ポータブルデバイスに返信する関連図送信部と
を有することを特徴とする装置情報管理装置。
【００８４】
（付記２）  前記ネットワーク構成登録管理部が、前記管理対象装置のシステムＢＩＯＳ上で予め設定されたネットワークインタフェース名に対応する各ネットワークインタフェースの検出順序を前記インタフェース設定情報と共に受信する機能を有し、
前記関連図描画部が、前記関連図にさらに前記各ネットワークインタフェースの前記検出順序を含めて作成する機能を有することを特徴とする、付記１に記載の装置情報管理装置。
【００８５】
（付記３）  前記関連図描画部に代えて、前記管理対象装置の各々のバスに対応するネットワークインタフェース名についての情報を取得して当該ネットワークインタフェース名ごとの物理ポート位置情報を構成情報として当該管理対象装置ごとに保存する構成情報作成部を設けると共に、
前記関連図送信部に代えて、前記ポータブルデバイスから前記納品物コードを受信した場合に、この納品物コードに対応する前記構成情報を当該ポータブルデバイスに返信する構成情報送信部とを設けたことを特徴とする、付記１に記載の装置情報管理装置。
【００８６】
（付記４）  他の装置と接続可能な物理ポートを備えるネットワークインタフェースを各々備えた複数個のバスを有する複数の管理対象装置と、予め別に設定された可搬式の端末装置であるポータブルデバイスと、装置情報管理装置とが相互に接続されて構成される装置情報取得システムであって、
前記装置情報管理装置が、付記１ないし３のうちいずれか１項に記載の装置情報管理装置であると共に、
前記ポータブルデバイスが、
前記管理対象装置を一意に識別可能な納品物コードを前記装置情報管理装置に送信して当該管理対象装置の各物理ポートとネットワークインタフェース名との間の対応情報の送信を依頼する装置情報照会部を備える
ことを特徴とする装置情報取得システム。
【００８７】
（付記５）  前記管理対象装置が、
予め自らの前記各バスに対応するネットワークインタフェース名についての情報を前記インタフェース設定情報として前記納品物コードと共に前記装置情報管理装置に送信するネットワーク設定部を有することを特徴とする、付記４に記載の装置情報取得システム。
【００８８】
（付記６）  前記管理対象装置の前記ネットワーク設定部が、
予め自らの各々のバスについてシステムＢＩＯＳ上で設定されたネットワークインタフェース名に対応する各ネットワークインタフェースの検出順序を前記インタフェース設定情報に含めて同時に前記装置情報管理装置に送信する機能を有することを特徴とする、付記５に記載の装置情報取得システム。
【００８９】
（付記７）  前記管理対象装置が、
前記納品物コードを含む画像情報を予め備えられた表示手段に表示させる画像情報表示部を備え、
前記ポータブルデバイスは、
予め備えられた撮影手段によって撮影された前記画像情報から前記納品物コードを読み取る納品物コード読み取り部を備えることを特徴とする、付記４に記載の装置情報取得システム。
【００９０】
（付記８）  他の装置と接続可能な物理ポートを備えるネットワークインタフェースを各々備えた複数個のバスを有する複数の管理対象装置と、予め別に設定された端末装置であるポータブルデバイスと、前記各管理対象装置が備えている各バスに対応して当該バスの物理的な位置を示す物理ポート位置情報を装置構成情報として予め記憶している記憶手段を備える装置情報管理装置とが相互に接続されて構成される装置情報取得システムにあって、
前記装置情報管理装置のネットワーク構成登録管理部が、前記各管理対象装置の前記各バスと当該バスに対応するネットワークインタフェース名についての情報であるインタフェース設定情報、および前記管理対象装置を一意に示す納品物コードを受信し、
前記装置情報管理装置の関連図描画部が、前記インタフェース設定情報と前記装置構成情報とに基づいて、当該ネットワークインタフェース名ごとの物理ポート位置情報を表す関連図を当該管理対象装置ごとに作成し、これを前記納品物コードと対応させて前記記憶手段に記憶し、
前記ポータブルデバイスの装置情報照会部が、前記納品物コードを前記装置情報管理装置に送信して当該管理対象装置の物理ポートとネットワークインタフェース名との間の対応情報の送信を依頼し、
前記装置情報管理装置の関連図送信部が、前記ポータブルデバイスから前記納品物コードを受信した場合に、この納品物コードに対応する前記管理対象装置の前記関連図を当該ポータブルデバイスに返信する
ことを特徴とする装置情報取得方法。
【００９１】
（付記９）  他の装置と接続可能な物理ポートを備えるネットワークインタフェースを各々備えた複数個のバスを有する複数の管理対象装置と、予め別に設定された端末装置であるポータブルデバイスと、前記各管理対象装置が備えている各バスに対応して当該バスの物理的な位置を示す物理ポート位置情報を装置構成情報として予め記憶している記憶手段を備える装置情報管理装置とが相互に接続されて構成される装置情報取得システムにあって、
前記装置情報管理装置の備えるプロセッサに、
前記各管理対象装置の前記各バスと当該バスに対応するネットワークインタフェース名についての情報であるインタフェース設定情報、および前記管理対象装置を一意に示す納品物コードを受信する手順、
前記インタフェース設定情報と前記装置構成情報とに基づいて、当該ネットワークインタフェース名ごとの物理ポート位置情報を表す関連図を当該管理対象装置ごとに作成し、これを前記納品物コードと対応させて前記記憶手段に記憶する手順、
および前記ポータブルデバイスから前記納品物コードを受信した場合に、この納品物コードに対応する前記管理対象装置の前記関連図を当該ポータブルデバイスに返信する手順
を実行させることを特徴とする装置情報取得プログラム。
【産業上の利用可能性】
【００９２】
本発明は、コンピュータネットワークにおけるサーバやネットワーク装置などの機器の管理において利用可能である。
【符号の説明】
【００９３】
１、４０１、７０１、９０１  装置情報取得システム
１０、４１０、７１０  管理対象装置
１１、２１、３１  プロセッサ
１２、２２、３２  記憶手段
１３  表示手段
１４  ネットワークアダプタ
２０、４２０、７２０、９２０  装置情報管理装置
２３、３３  通信手段
３０、９３０  ポータブルデバイス
３４  入出力手段
３５  撮影手段
４０  ネットワーク
１０１、５０１  ネットワーク設定部
１０２  設定情報送信部
１０３  ＱＲコード表示部
１１１、５１１  インタフェース設定情報
２０１、８０１、１００１  ネットワーク構成登録管理部
２０２、６０２、８０２  関連図描画部
２０３  関連図送信部
２１１、８１１、１０１１  装置構成情報
２１２、６１２、８１２  関連図
３０１  納品物コード読み取り部
３０２  装置情報照会部
３０３  関連図表示部
５１１ａ  検出順序
１００２  構成情報作成部
１００３  構成情報送信部
１１０３  装置情報表示部
１２００  表示画面
【図１】
0006015111.tif 000002
【図２】
0006015111.tif 000003
【図３】
0006015111.tif 000004
【図４】
0006015111.tif 000005
【図５】
0006015111.tif 000006
【図６】
0006015111.tif 000007
【図７】
0006015111.tif 000008
【図８】
0006015111.tif 000009
【図９】
0006015111.tif 000010
【図１０】
0006015111.tif 000011
【図１１】
0006015111.tif 000012
【図１２】
0006015111.tif 000013
【図１３】
0006015111.tif 000014
【図１４】
0006015111.tif 000015
【図１５】
0006015111.tif 000016
【図１６】
0006015111.tif 000017
【図１７】
0006015111.tif 000018